(57)【要約】【課題】近年の転写紙種類の増加による画像乱れの発生を防止し、飛散したトナーに伴う、転写紙の汚れ等の異常画像を防止することが可能な転写出口ガイド板を有する転写装置、及びこれを用いた画像形成装置を提供することにある。【解決手段】表面が中抵抗又は絶縁性部分である転写紙搬送ガイド板３０と、該転写紙搬送ガイド板３０に設けた転写出口ガイド部材２８と、を備える転写装置において、前記転写出口ガイド部材２８の表面から突出して転写紙の搬送を案内する回転リブ３３を備え、該回転リブ３３が導電性を有する材料から構成されかつ抵抗体を介して接地されている転写装置。【選択図】図２
2009237522.tif 000002
【特許請求の範囲】
【請求項１】
表面が中抵抗又は絶縁性部分である転写紙搬送ガイド板と、該転写紙搬送ガイド板に設けた転写出口ガイド部材と、を備える転写装置において、前記転写出口ガイド部材の表面から突出して転写紙の搬送を案内する回転リブを備え、該回転リブが導電性を有する材料から構成されかつ抵抗体を介して接地されていることを特徴とする転写装置。
【請求項２】
前記転写紙搬送ガイド板上の転写紙搬送タイミングを検知する検知手段を備え、前記搬送タイミングに応じて、前記回転リブに接続している前記抵抗体の抵抗値を変化させることを特徴とする請求項１記載の転写装置。
【請求項３】
前記回転リブの円周表面に、中抵抗の樹脂被覆を施すことを特徴とする請求項１又は２記載の転写装置。
【請求項４】
前記回転リブの、前記転写紙搬送ガイド部材の表面からの突出量は可変であることを特徴とする請求項１乃至３のいずれか１項記載の転写装置。
【請求項５】
請求項１乃至４のいずれか１項記載の転写装置を備えたことを特徴とする画像形成装置。
【請求項６】
表面が中抵抗又は絶縁性部分である転写出口ガイド部材と、該転写出口ガイド部材の表面から突出して転写紙の搬送を案内する回転リブと、を備える転写装置の転写紙搬送ガイド板において、前記回転リブの少なくとも転写紙と接触する部位は導電性で構成されかつ抵抗体を介して接地されていることを特徴とする転写装置の転写紙搬送ガイド板。
【請求項７】
前記回転リブの転写紙進行方向下流側であって、該転写紙と非接触な位置に、回転可能でかつ接地した導電性コロを配置することを特徴とする請求項６記載の転写装置の転写紙搬送ガイド板。
【請求項８】
前記導電性コロを、抵抗体を介して接地し、前記転写紙の種類に応じて、前記抵抗体の抵抗値を可変制御することを特徴とする請求項６又は７記載の転写装置の転写紙搬送ガイド板。
【請求項９】
前記導電性コロを搬送されている前記転写紙との相対位置関係の高さを変更できる構造とし、前記転写紙の種類に応じて前記導電性コロの前記転写紙に対する高さを変更することを特徴とする請求項６乃至８のいずれか１項記載の転写装置の転写紙搬送ガイド板。
【請求項１０】
前記導電性コロの転写紙進行方向下流側には接地された除電部材を配置することを特徴とする請求項６乃至９のいずれか１項記載の転写装置の転写紙搬送ガイド板。
【請求項１１】
請求項６乃至１０のいずれか１項記載の転写装置の転写紙搬送ガイド板を備えたことを特徴とする画像形成装置。
【発明の詳細な説明】
【技術分野】
【０００１】
本発明は、電子写真方式のプリンタ、ファクシミリ、複写機等の画像形成装置に搭載する、転写出口ガイド板を有する転写装置及びこの転写装置を搭載している画像形成装置に関するものである。
【背景技術】
【０００２】
電子写真方式のプリンタ、ファクシミリ、複写機等の画像形成装置に搭載する転写装置から定着装置に至る経路に転写出口ガイド板を設けることは従来から提案されている（例えば、特許文献１乃至４参照）。
特許文献１には、転写ベルトから分離される位置に近接して、電気的に接地された導電性ガイド板を設けることによって、剥離放電を防止する技術が開示されている。
特許文献２には、転写出口ガイド板の表面抵抗率を中抵抗にすることによって、画像乱れが発生することを防止する技術が開示されている。
また、特許文献３には、転写部出口に金属製用紙ガイドを設けて、抵抗体を介してフレームに接続することによって、ガイド板の抵抗調整を行ない、画像乱れが発生することを防止する技術が開示されている。
特許文献１乃至３の技術は、いずれも転写出口ガイド板の抵抗に関する技術で、転写紙の帯電を緩やかに放電させることで、転写出口ガイド板上での画像乱れ等の異常画像を防止するようにしており、転写紙の帯電を画像乱れの発生を抑制することには有効な手段となっている。
しかしながら、これらの方法では、転写紙からのガイド板への放電による画像乱れを完全には防止することができず、画像乱れを発生した時に転写紙上のトナーがガイド板へ飛散して、その汚れたガイド板へ接触した転写紙を汚してしまう等の不具合があった。
これらの不具合を防止するために、例えば、ガイド板表面にリブを設けるなどして、転写紙との接触面積を小さくすることで、画像乱れを或る程度防止することが可能となる。
【０００３】
特許文献４には、転写紙の両サイド端部を転写出口ガイド板表面で、接触しない構造とすることによって、画像乱れ発生時に飛散したトナーで転写紙が汚れることを防止する技術が開示されている。
また、転写出口ガイド板上での画像乱れは、転写紙との間の放電が主な要因ではあるが、転写出口ガイド板表面が転写紙との摩擦帯電等によって帯電すると、転写紙との間で異常放電を発生し易くなり、画像乱れが生じる場合があった。
この現象は、とくに高速コピー機や、帯電し易い高抵抗の転写紙を通紙した場合に発生し易くなる傾向がある。これらの不具合も、転写紙と転写出口ガイド板表面との接触面積を小さくすることで、転写出口ガイド板上の転写紙との摩擦帯電による、転写出口ガイド板表面の帯電の転写紙間との放電による画像乱れを或る程度防止することが可能となる。
しかしながら、これらの方法では、近年の再生紙等の増加や、各種特殊紙の増加に伴い、より広範な紙種には対応ができず、画像乱れが発生し、その飛散したトナーによる転写紙汚れ等の異常画像が発生する場合があった。
【０００４】
図１４は従来の転写装置の例を示す概略図である。図１５は図１４の転写装置を上から見た平面図である。従来技術の構成を図１４及び図１５を参照して説明する。転写装置では、感光体２１上に形成されたトナー像を感光体２１と転写ベルト２２との接触部に形成されるニップ部で転写紙に静電的に転写させ、転写ベルト２２に静電吸着した転写紙を次工程に送り届けるように搬送し、転写紙搬送ガイド板３０の転写出口ガイド部材２８ａに設けられた除電部材２９ａで転写紙への帯電を積極的に除電し、転写紙上のトナー像の乱れを防止することを目的とした除電が行なわれる。
転写工程ではバイアスローラ２６に高圧電源２７により転写バイアスを印加することによってトナー像の転写紙への転写が行なわれる。転写紙は駆動ローラ２５と従動ローラ２４との間に掛け回された無端状の転写ベルト２２によって回転駆動される。それぞれの駆動ローラ２５と従動ローラ２４は接地されて用いられている。なお、転写装置はカバーとしてケーシング２３で覆われている。
転写紙搬送ガイド板３０は除電部材２９ａと転写出口ガイド部材２８ａとで構成され、除電部材２９ａは接地されている構成となっている。感光体２１と転写ベルト２２とのニップ部から転写紙搬送ガイド板３０方向へと転写ベルト２２によって搬送された転写紙は転写紙搬送ガイド板３０上で転写紙上の静電気が除去されて定着入り口ガイド板３１へと搬送され、図示してない定着装置へと搬送される。
転写ベルト２２から分離された転写紙は静電転写しているため、静電気を帯びている。静電気を帯びたまま次工程である定着装置へ転写紙が進入すると静電気によりトナー像が散り、異常画像となる場合がある。
【０００５】
このようにして散ったトナーは転写紙搬送ガイド板３０上に飛散するわけであるが、飛散したトナーは転写出口ガイド部材２８ａや除電部材部２９ａ上にトナー散りとして付着する。そして転写紙搬送ガイド板３０上を転写紙が通過した際にそのトナー散りが転写紙の先端や裏に付着することによって、転写紙のトナー汚れが発生したり、除電部材２９ａの汚れによって、除電能力が不足し、トナー散りが発生し、異常画像となる場合があった。
図１５に示すように、従来から、転写紙搬送ガイド板３０の転写出口ガイド部材２８ａの表面にリブ状の突起（搬送リブ３２）を設けて、塵埃が転写紙に付着するのを防止することは一般に行なわれているが、転写紙と搬送リブ３２表面が接触することによって、搬送リブ３２表面が帯電してしまい、その静電気によってトナー像が散り、異常画像となる場合があった。
上記のような不具合を回避するためには、転写紙の静電気を効率的に除去できるようにすることと、転写紙搬送ガイド板３０の表面を帯電しない状態に維持することが重要であるが、実際には、例えば、転写紙搬送ガイド板３０表面を金属等の導電性素材にして、急激に転写紙表面の帯電を除電してしまうと、トナーが飛散してしまうことがあった。
それを防止するためには、特許文献２にも開示されているように、転写紙搬送ガイド板３０の表面に、或る程度の抵抗を持たせることによって、転写紙からの放電が緩やかになり、転写紙搬送の際の画像乱れを抑制することが可能となる。
【特許文献１】特開平７−２７１２００号公報
【特許文献２】特開２００２−３１９６０公報
【特許文献３】特許第３３２７５０９号
【特許文献４】特開２００１−９７６０４公報
【発明の開示】
【発明が解決しようとする課題】
【０００６】
しかしながら、近年はコピー機においても多種多用の転写紙が使用されるようになってきており、再生紙等の増加や、各種特殊紙の増加に伴い、より広範な紙種に対応することが求められている。
このような様々な体積抵抗、表面抵抗の紙種に対応し、これらの異常画像を完全に回避することは困難であった。そのため、このような紙種を使用した際には、画像乱れが発生し、その飛散したトナーによる転写紙汚れ等の異常画像が発生する場合があった。
そこで、本発明の目的は、上述した実情を考慮して、近年の転写紙種類の増加による画像乱れの発生を防止し、飛散したトナーに伴う、転写紙の汚れ等の異常画像を防止することが可能な転写出口ガイド板を有する転写装置、及びこれを用いた画像形成装置を提供することにある。
【課題を解決するための手段】
【０００７】
上記の課題を解決するために、請求項１に記載の発明は、表面が中抵抗又は絶縁性部分である転写紙搬送ガイド板と、該転写紙搬送ガイド板に設けた転写出口ガイド部材と、を備える転写装置において、前記転写出口ガイド部材の表面から突出して転写紙の搬送を案内する回転リブを備え、該回転リブが導電性を有する材料から構成されかつ抵抗体を介して接地されていることを特徴とする転写装置を特徴とする。
また、請求項２に記載の発明は、前記転写紙搬送ガイド板上の転写紙搬送タイミングを検知する検知手段を備え、前記搬送タイミングに応じて、前記導電性の回転リブに接続している前記抵抗体の抵抗値を変化させる請求項１記載の転写装置を特徴とする。
また、請求項３に記載の発明は、前記導電性の回転リブの円周表面に、中抵抗の樹脂被覆を施す請求項１又は２記載の転写装置を特徴とする。
また、請求項４に記載の発明は、前記回転リブの、前記転写紙搬送ガイド部材表面からの突出量は可変であることを特徴とする請求項１乃至３のいずれか１項記載の転写装置を特徴とする。
また、請求項５に記載の発明は、請求項１乃至４のいずれか１項記載の転写装置を備えた画像形成装置を特徴とする。
【０００８】
また、請求項６に記載の発明は、表面が中抵抗又は絶縁性部分である転写出口ガイド部材と、該転写出口ガイド部材表面から突出して転写紙の搬送を案内する回転リブと、を備え、前記回転リブの少なくとも転写紙と接触する部位は導電性で構成されかつ抵抗体を介して接地されていることを特徴とする転写装置の転写紙搬送ガイド板を特徴とする。
また、請求項７に記載の発明は、前記回転リブの転写紙進行方向下流側であって、該転写紙と非接触な位置に、回転可能でかつ接地した導電性コロを配置する請求項６記載の転写装置の転写紙搬送ガイド板を特徴とする。
また、請求項８に記載の発明は、前記導電性コロを、抵抗体を介して接地し、前記転写紙の種類に応じて、前記抵抗体の抵抗値を可変制御する請求項６又は７記載の転写装置の転写紙搬送ガイド板を特徴とする。
また、請求項９に記載の発明は、前記導電性コロを搬送されている前記転写紙との相対位置関係の高さを変更できる構造とし、前記転写紙の種類に応じて前記導電性コロの前記転写紙に対する高さを変更する請求項６乃至８のいずれか１項記載の転写装置の転写紙搬送ガイド板を特徴とする。
また、請求項１０に記載の発明は、前記導電性コロの転写紙進行方向下流側には接地された除電部材を配置する請求項６乃至９のいずれか１項記載の転写装置の転写紙搬送ガイド板を特徴とする。
また、請求項１１に記載の発明は、請求項６乃至１０のいずれか１項記載の転写装置の転写紙搬送ガイド板を備えた画像形成装置を特徴とする。
【発明の効果】
【０００９】
本発明によれば、転写紙との接触面積を小さく維持可能な回転可能なコロ状のリブを装備し、この回転リブを抵抗（又は可変抵抗）により接地することによって、転写紙搬送ガイド板の転写出口ガイド部材上での画像乱れの発生を防止することが可能で、飛散したトナーに伴う、転写紙の汚れ等の異常画像を防止する効果がある。
【発明を実施するための最良の形態】
【００１０】
以下、図面を参照して、本発明の実施の形態を詳細に説明する。図１は本発明による転写装置を搭載し得る画像形成装置であるカラー複写機を示す概略図である。このカラー複写機（画像形成装置）１０は複数色のトナーによるカラー画像の作成が可能である。
カラー複写機１０には、便宜的にこの部分として示される使用者が操作する操作部１１、原稿画像を読み取るスキャナ（画像読み取り装置）１２、操作部１１からの入力信号に基づいてカラー複写機１０全体を制御し、各部を作動させる主制御部（図示せず）、及びスキャナ１２が読み取った原稿画像を形成する画像形成部８を備えている。
画像形成部８はスキャナ１２からの画像情報（画像データ）を光情報として像担持体である感光体１４に書き込む書き込み部１３、この書き込み部１３によって感光体１４の表面に形成された静電潜像に、シアン、マゼンタ、イエロー及びブラックトナーを供給する現像部１５、感光体１４上の複数色のトナー像を順次転写されて重ね合わされる中間転写体１６を含んでいる。
さらに、画像形成部８には、中間転写体１６上に重ね合わされた複数色のトナー像を転写紙Ｐに転写する転写部１９、給紙トレイ１から転写紙Ｐを１枚ずつ転写部１９へと給紙する給紙部１７、及び定着部１８を備え、これらの各部によって原稿画像に対応する画像が転写紙Ｐ上に印刷されるようになっている。
【００１１】
図２は本発明による転写装置の第１の実施の形態を示す概略断面図である。図３は本発明による転写装置の転写紙搬送ガイド板近傍を上から見た平面図である。図２の断面は転写紙搬送ガイド板３０近傍を図３の線ａ−ａ’に沿って表している。
図２における本発明の転写装置の構成は、中間転写体１６を使用している図１の転写装置とは異なるが、トナー像を転写ベルト上に転写すること自体は同じであるので、図２及び図３の構成を用いて説明する。
図２の転写装置では、像担持体としての感光体２１のトナー像をこの感光体２１と転写ベルト２２のニップ部で転写紙に静電的に転写させ、転写ベルト２２に静電吸着した転写紙を次工程に送り届けるように搬送し、転写紙搬送ガイド板３０の転写出口ガイド部材２８に設けられた除電部材２９で転写紙への帯電を積極的に除電し、転写紙上のトナー像の乱れを防止することを目的とした除電が行なわれる。
その中で、転写紙搬送ガイド板３０は除電部材２９と転写出口ガイド部材２８とで構成され、除電部材２９は接地されている構成となっている。感光体２１と転写ベルト２２とのニップ部から転写紙搬送ガイド板３０の方向へと転写ベルト２２によって搬送された転写紙は転写紙搬送ガイド板３０上で転写紙上の静電気が除去されて定着入り口ガイド板３１へと搬送され、図示しない定着装置へと搬送される。
【００１２】
転写工程ではバイアスローラ２６に高圧電源２７によって転写バイアスを印加することによってトナー像の転写紙への転写が行なわれる。転写紙は駆動ローラ２５と従動ローラ２４との間に掛け回された無端状の転写ベルト２２によって回転駆動される。それぞれの駆動ローラ２５と従動ローラ２４は接地されて用いられている。なお、転写装置はカバーとしてケーシング２３で覆われている。
ここで転写紙搬送ガイド板３０の転写出口ガイド部材２８上の搬送リブ３２に対応する位置に、複数の回転可能なリブ（回転リブ）３３を配置している。この回転リブ３３は支軸３６によって、回転自在に配置され、本実施の形態ではとくに駆動装置は設けておらず、転写紙との摩擦のみで回転するように配置してある。
これは、回転リブ３３と転写紙表面との摩擦による回転リブ３３の表面の帯電を少なくするためである。転写紙搬送ガイド板３０との転写紙の接触具合等の搬送状態は転写紙種類や温度、湿度等の環境によって変化する。
表面が中抵抗又は絶縁性部分である転写紙搬送ガイド板３０との接触具合が変わると、回転リブ３３を転写紙表面の搬送速度で回転駆動した場合、転写紙の搬送速度とずれが生じ、その摩擦によって回転リブ３３表面が帯電し易くなり、トナー散りが発生する場合がある。
本実施の形態では、転写紙とコロ状の回転リブ３３を連れ回りとすることによって、これらの不具合を防止することができる。支軸３６は端部で図示しない板ばね等を介して、可変抵抗体３４を介して設置される。なお、可変抵抗体３４は抵抗値が固定されている固定抵抗体であってもよい。
【００１３】
本実施の形態ではコロ状の回転リブ３３の位置より転写紙搬送方向下流に除電部材２９を設けた。これは、回転リブ３３に除電効果を持たせているので、転写紙搬送方向における同位置に除電部材２９を配置すると、転写紙の種類によっては、急激な除電が行なわれてしまい、トナー散りが発生してしまうことがあるからである。
このように、本発明では、具体的には、転写紙との接触面積を小さく維持可能な回転可能な導電性部材でできたコロ状のリブ（回転リブ）３３を装備し、この回転リブ３３を抵抗体又は可変抵抗体により接地することによって達成される。
本実施の形態では、回転リブ３３よりも転写紙の搬送方向下流に除電部材２９を設けたので、レイアウト上限られた転写紙搬送方向の長さの中で、可能な限り緩やかに転写紙表面の静電気を除電できる。
具体的には、転写紙を通じて帯電された、回転リブ３３の表層の帯電電荷を、抵抗体を介して接地して逃がすわけであるが、転写紙の通紙タイミングに応じて、抵抗可変タイミングを制御することによって達成される。
【００１４】
図４は本発明による転写装置の転写紙搬送ガイド板を示す概略図である。ここで用いている転写紙搬送ガイド板３０の表面は表面抵抗値が比抵抗１０９Ω／ｃｍ2〜１０１５Ωｃｍ2の範囲の抵抗値、すなわち、半導体から絶縁体の範囲である中抵抗又は絶縁性部分に調整された樹脂板を用いている。樹脂は、例えば、ＡＢＳ（アクリロニトリルブタジエンスチレン）樹脂や、ＰＣ（ポリカーボネート）とＡＢＳのブレンド樹脂等が用いられる。
次に、ここで用いている転写紙搬送ガイド板３０の転写出口ガイド部材２８上の回転リブ３３としては、この回転リブ３３の表面が帯電しにくいように、導電性の回転コロが用いられる。回転リブ３３の材質としては、例えば、ＡＬ等の金属や、導電性を付与したポリスチレン系樹脂、導電性を付与したポリウレタン等の合成ゴムなどが用いられる。
【００１５】
次に、本発明の動作について説明する。転写紙搬送ガイド板３０上へ搬送された転写紙は回転リブ３３に接して搬送され、回転リブ３３は転写紙との摩擦力で回転する。この回転リブ３３にはとくに駆動装置を設けていない。従って、回転し易いように、個々の回転リブ３３は軽い方が望ましく、本実施の形態では、幅方向に数ｍｍ程度の薄い回転リブ３３を使用している。
従来装置の搬送リブ３２は、転写紙を搬送時に、この搬送リブ３２に接した際に搬送リブ３２の表面が転写紙と接触することによって帯電が蓄積し、その静電気によってトナー像が散り、異常画像となる場合があった。
本発明では、回転リブ３３は支軸３６に固定されており、支軸３６を図示しないベアリングを介して回転自在に設置することで回転リブ３３が自由に回転する構成となっている。
【００１６】
回転リブ３３は回転自在に取り付けてあるため、転写紙との接触によって、固定式の搬送リブ３２のように転写紙と常に同じ接触面で接触するわけではなく、回転しながら常に新しい面で転写紙と接触している。
転写紙がこの回転リブ３３上を通過した際に、帯電した電荷は可変抵抗体３４を介して通電して逃げるため、常に回転リブ３３表面は帯電していない状態に維持される。
具体的には、回転リブ３３の表層抵抗を中抵抗にすることによって、回転リブ３３部以外の転写紙搬送ガイド板３０の表層抵抗と同じにすることによって、転写紙上の電荷移動をより少なくすることによって達成される。
ここでは可変抵抗体３４の抵抗値は、例えば、１〜２ＭΩ程度の中抵抗に設定される。中抵抗にするのは、転写紙の帯電電位を、抵抗体を通して緩やかに放電させることで、急激な転写紙の電位変動によるトナー散り等の異常画像を防止するためである。
可変抵抗体３４にしているのは、抵抗値を調整することで固定抵抗体では対応しきれない特殊なラベル紙等の紙種にも対応できることを目的としているが、もちろん、固定抵抗体でも十分な効果が得られる。
【００１７】
図５は本発明による転写装置の第２の実施の形態を示す概略図である。図５において、基本的な構造は第１の実施の形態と同様であるので、同一部分に同一符号を付し、ここで必要以外の説明は省略する。
第２の実施の形態において、転写紙の通紙タイミングを検知するために、転写紙搬送ガイド板３０の上方に検知センサ３７が配置してある。この検知センサ３７の構造は、符号を付して詳述しないが、例えば、赤外光を発光する発光素子と、この発光素子から出射した光が転写紙に反射して戻ってくる光を受光する受光素子と、が１対で構成されたものが使用される。
発光素子として発光ダイオードを用いた発光部から発光された光が、転写紙に反射して、例えば、受光素子としてフォトダイオードを用いた受光部に到達した光量を検知することにより、転写紙が通過中か否かを検知することができる。
また、とくに図示はしないが、光センサと転写紙の通過に応じて遮断するフィラーとを組み合わせたセンサで検知しても良い。
回転リブ（回転可能なコロ状リブ）３３と接地との間に介する可変抵抗体３４を、転写紙搬送ガイド板３０上の転写紙搬送タイミングを検知して、抵抗値を変化させることによって、回転リブ３３の表層の帯電状況をより安定化できるため、安定して転写紙搬送ガイド板３０上での画像乱れの発生を防止することが可能で、飛散したトナーに伴う、転写紙の汚れ等の異常画像を防止する効果を有する。
【００１８】
図６は可変抵抗値を選択する流れを示すフローチャートである。図５及び図６を参照して説明すると、転写紙搬送ガイド板３０の回転リブ３３の導通を判定する（Ｓ１）。次に、転写紙通過中かどうかを判断する（Ｓ２）。通過中ならば、抵抗値をＢとし（Ｓ３）、通過中でないならば、抵抗値をＡとする（Ｓ４）。
制御については図６のフローチャートに示すように、可変抵抗体３４の抵抗値は図示しない制御装置により、可変可能な構成としてあり、転写紙の転写紙搬送ガイド板３０上の搬送タイミングを検知する。
転写紙が転写紙搬送ガイド板３０上を搬送中は可変抵抗体３４の抵抗値は１ＭΩ〜２ＭΩの中抵抗（図中、抵抗値Ｂ）に制御され、転写紙が転写紙搬送ガイド板３０上で搬送中でない場合には、可変抵抗体３４の抵抗値は１ＫΩ〜２ＫΩ（図中、抵抗値Ａ）の低抵抗に制御される。
この制御は転写紙が通紙中でない時間帯を活用して、回転リブ３３に帯電が蓄積しないようにする効果がある。通紙中でない場合には、可変抵抗体３４の抵抗値が低抵抗に制御されるため、回転リブ３３の帯電電荷を速やかに逃がすことができる。
このような構成とすることで、回転リブ３３への帯電の蓄積を防止することができる。また、転写紙が通紙中は可変抵抗体３４の抵抗値を中抵抗に維持することによって、転写紙の帯電電位を、可変抵抗体３４を通して緩やかに放電させることができ、急激な転写紙の電位変動によるトナー散り等の異常画像を防止している。
【００１９】
図７は本発明による転写装置の転写紙搬送ガイド板の回転リブ表面に施した中抵抗の樹脂被覆を示す概略図である。この回転リブ３３の基本的な構造は図４の転写紙搬送ガイド板３０と同様であるので、同一部分に同一符号を付してここで必要以外の説明は省略する。
この図で示す回転リブ３３表面に中抵抗の樹脂被覆を施している被覆回転リブ３５には、前述と同様に、例えば、ＡＬ（アルミニウム）等の金属や、導電性を付与したポリスチレン系樹脂、導電性を付与したポリウレタン等の合成ゴムなどが用いられる。
中抵抗の樹脂被覆は、表面抵抗値が比抵抗１０９Ω／ｃｍ2〜１０１５Ωｃｍ2の抵抗値、すなわち、半導体から絶縁体の範囲である中抵抗又は絶縁性部分に調整された樹脂を用い、例えば、ＡＢＳ（アクリロニトリルブタジエンスチレン）樹脂や、ＰＣ（ポリカーボネート）とＡＢＳのブレンド樹脂等が用いられる。被覆回転リブ３５の表面抵抗を１０９Ω／ｃｍ2〜１０１５Ωｃｍ2の中抵抗にすることによって、被覆回転リブ３５の表面抵抗を、転写紙搬送ガイド板３０の表面抵抗値とほぼ同じ抵抗値としている。
【００２０】
被覆回転リブ３５の表面抵抗と転写紙搬送ガイド板３０及び転写出口ガイド部材２８の表面抵抗を同じ抵抗値、すなわち、中抵抗又は絶縁性部分とすることによって、転写紙と被覆回転リブ３５の接触面の転写紙上の電荷移動をより少なくし、転写紙が転写紙搬送ガイド板３０の表面を通過した際の転写紙の電位変動によるトナー散り等の異常画像を防止している。
被覆回転リブ３５の表層抵抗を中抵抗とし、被覆回転リブ３５部以外の転写紙搬送ガイド板３０及び転写出口ガイド部材２８の表層抵抗と同じにすることによって、転写紙の急激な電位変動をより少なくすることが可能となる。
被覆回転リブ３５及び転写紙搬送ガイド板３０の表面の帯電状況に加えて、転写紙表層の帯電状況を安定化できるため、安定して転写紙搬送ガイド板３０上での画像乱れの発生を防止することが可能で、飛散したトナーに伴う、転写紙の汚れ等の異常画像を防止する効果がある。
【００２１】
図８は回転リブの転写紙搬送ガイド板からの突出量を変更可能な構成を示す概略図である。この回転リブ３３の基本的な構造は図４の転写紙搬送ガイド板３０と同様であるので、同一部分に同一符号を付してここで必要以外の説明は省略する。
回転リブ３３を支える支軸３６は支軸移動スペース３８と図示してない移動手段によって上下に移動可能な構成としている。移動手段は、例えば、支軸３６に偏芯カム等を接触させて、支軸３６を所定の位置に移動、固定する手段を用いることができる。
図８（ａ）及び（ｂ）のように、回転リブ３３の転写紙搬送ガイド板３０からの突出量を変更可能な構成となっている。図８（ａ）は転写紙搬送ガイド板３０の転写出口ガイド部材２８からの回転リブ３３の突出量を小さくした状態を示し、図８（ｂ）は転写紙搬送ガイド板３０からの回転リブ３３の突出量を大きくした状態を示している。
【００２２】
転写紙が転写紙搬送ガイド板３０上を通過の際に、回転リブ３３との接触圧が強い場合、あるいは弱い場合に回転リブ３３の転写紙搬送ガイド板３０からの突出量を変更することによって、回転リブ３３と転写紙表面との接触圧の調整を行なう。図８では回転リブ３３として示しているが、これに代えて図７の被覆回転リブ３５を用いてもよい。
これによって、回転リブ３３表面の帯電状態を調節し、特殊紙や様々な体積抵抗、表面抵抗の紙種に対応可能で転写紙が進入した際の静電気によるトナー像の散り、それに伴う転写紙搬送ガイド板３０上や除電部材２９部に飛散したトナー散りによる異常画像を防止している。
このように、回転リブ３３の転写紙搬送ガイド板３０表面からの突出量を可変する構成とし、回転リブ３３表面の帯電状態を調節することによって転写紙上の電荷移動をより少なくすることが可能となる。
さらに、回転リブ（回転コロ）３３及び転写紙搬送ガイド板３０表面の帯電状況に加えて、転写紙表層の帯電状況を安定化できるため、安定して転写紙搬送ガイド板３０上での画像乱れの発生を防止することが可能で、飛散したトナーに伴う、転写紙の汚れ等の異常画像を防止する効果がある。
【００２３】
図９は本発明による転写装置の第３の実施の形態を示す概略断面図である。図１０は本発明による転写装置の転写紙搬送ガイド板近傍を上から見た平面図である。図９の断面は転写紙搬送ガイド板３０近傍を図１０の線ｂ−ｂ’に沿って表している。
図９及び図１０において、本発明の転写装置の第３の実施の形態の構成は、図２に示した第１の実施の形態とほとんど同じである。従って、図２と同一部分には同一符号を付してここで必要以外の重複する説明は省略する。
転写紙搬送ガイド板３０上の転写出口ガイド部材２８の搬送リブ３２（図１０）に対応する位置に、複数の回転可能なリブ（回転リブ）３３を配置している。この回転リブ３３は支軸３６によって、回転自在に設置され、本実施の形態ではとくに駆動装置は設けておらず、転写紙との摩擦のみで回転するように設置してある。
また、支軸３６は端部で図示してない板ばね等を介し、さらに可変抵抗３４を介して接地される。回転リブ３３の転写紙搬送方向下流側には、回転可能で接地した導電性コロ３９を配置している。この導電性コロ３５にはＡＬ等の金属材料が用いられる。
転写紙搬送ガイド板３０には開口部が設けられており、導電性コロ３９はその開口部表面よりも低い位置に設置され、導電性コロ３９と搬送中の転写紙とが直接接触しない位置関係で保持される。
これは、緩やかに転写紙表面の静電気を除去する目的で、非接触で除電を行う構成とするためである。それよりさらに転写紙搬送方向下流側に、同じく非接触除電を目的とした、除電部材２９が設置されている。この除電部材２９は固定式の針状電極を用いており、同じく非接触で除電を行なう機能を有している。
【００２４】
ここで導電性コロ３９の作用について説明する。コロ状の形状にして、転写紙表面と非接触に配置することによって、転写紙表面と導電コロ３９との間には転写紙搬送方向に幅の広い電界が形成される、このため、緩やかな除電が可能となる。そのため、その下流側に設置した固定式の針状電極である除電部材２９で除電を行う際に急激な除電が行なわれず、除電の際のトナー飛散が少なくなる。
また、導電性コロ３９は回転可能な構造としており、とくに図示はしてないが、駆動装置によって回転駆動することができる。また、本実施の形態ではその回転方向及び速度は任意に設定することができる構成としている。
ここで導電性コロ３９を回転駆動させているのは、図示してないマイラ等による清掃機構を取り付け、導電性コロ３９表面を常に汚れのない状態に保持することで、安定した除電性能を得ることができるようにするためである。本構成では、回転駆動を行なわなくとも同様の除電効果を得ることができる。
【００２５】
図１０は本発明の転写装置を上から見た図である。図２に示した搬送リブ３２に対応する位置に回転リブ３３を複数配置し、転写ベルトに５に対向する転写紙搬送ガイド板３０の開口部表面よりも高さ方向で低い位置に設置された導電性コロ３９が設置されている。
転写紙との接触面積を小さく維持可能な回転可能な導電性部材でできたコロ状の回転リブ３３を装備し、この回転リブ３３を固定抵抗又は可変抵抗によって接地する。
回転リブ３３の転写紙進行方向下流に回転可能で接地した導電性コロ３９を設置することによって転写紙搬送ガイド板３０上での画像乱れの発生を防止することが可能で、飛散したトナーに伴う、転写紙の汚れ等の異常画像を防止する効果がある。
【００２６】
図１１は図９の本発明による転写紙搬送ガイド板周辺のみを示す概略断面図である。この回転リブ３３の基本的な構造は図９の転写紙搬送ガイド板３０と同様であるので、同一部分に同一符号を付してここで必要以外の説明は省略する。
ここで用いている転写紙搬送ガイド板３０表面は表面抵抗値が１０９Ω／ｃｍ2〜１０１５Ωｃｍ2の抵抗値に調整された樹脂板を用いている。樹脂は、例えば、ＡＢＳ樹脂や、ＰＣ（ポリカーボネート）とＡＢＳ（アクリロニトリルブタジエンスチレン）のブレンド樹脂等が用いられる。
次にここで用いている回転リブ３３は固定抵抗又は可変抵抗（ここでは可変抵抗）３４を介して接地しかつ回転リブ３３表面が帯電しにくいように、導電性の回転コロが用いられる。回転リブ３３の材質としては、例えば、ＡＬ等の金属や、導電性を付与したポリスチレン系樹脂、導電性を付与したポリウレタン等の合成ゴムなどが用いられている。
【００２７】
図１２は抵抗を介して接地している導電コロを備える本発明による転写紙搬送ガイド板周辺のみを示す概略断面図である。基本的な構造は図９の転写紙搬送ガイド板３０と同様であるので、同一部分に同一符号を付してここで必要以外の説明は省略する。
図１２においては、回転リブ（回転可能な導電性コロ）３３を固定抵抗又は可変抵抗（ここでは可変抵抗）３４を介して接地し、転写紙の種類に応じて、抵抗を可変制御する。
基本的な構造は図９と同様であるが、導電コロ３９は可変抵抗４０を介して接地している。可変抵抗にしているのは、抵抗値を調整することで導電コロ３９を直接接地した状態よりも、より緩やかに除電したい、例えば、特殊なラベル紙等の紙種にも対応できることを目的としている。
その抵抗値は、図示してない制御部によって、特殊な紙種に対応した抵抗値に操作部より設定することが可能としている。そのような構成とすることで、より広範囲な転写紙の帯電電位を、抵抗体を通して緩やかに放電させることができ、急激な転写紙の電位変動によるトナー散り等の異常画像を防止することが可能となる。
回転可能な導電性コロ３９を固定抵抗又は可変抵抗（ここでは可変抵抗４０）を介して接地し、転写紙の種類に応じて、抵抗を可変制御することによって、より広範囲な種類の特殊紙にも対応可能で、安定して転写紙搬送ガイド３０板上での画像乱れの発生を防止することができ、飛散したトナーに伴う、転写紙の汚れ等の異常画像を防止する効果がある。
【００２８】
図１３は転写紙搬送ガイド板における導電コロの上下移動可能な構成を示す概略図である。この実施の形態において基本的な構造は図１１と同様であるので、同一部分に同一符号を付してここで必要以外の説明は省略する。導電コロ３９を支える支軸３９ａは図示してない移動手段によって上下に移動可能な構成としている。
図１３（a）は、導電コロ３９が転写紙搬送ガイド板３０上の転写紙表面から離れた位置に保持される場合を示し、図１３（ｂ）は、導電コロ３９が転写紙表面と近接した位置に移動して保持される場合を示している。
このように、移動手段によって、導電コロ３９と転写紙搬送ガイド板３０上の転写紙表面との距離を可変することによって、その距離に応じて、転写紙表面の静電気を放電させる速度を調整することができる。
特殊紙や様々な体積抵抗、表面抵抗の紙種に対応可能で転写紙が進入した際の静電気によるトナー像の散り、それに伴う転写紙搬送ガイド板３０上や除電部材部２９に飛散したトナー散りによる異常画像を防止している。
移動手段は、例えば、支軸３９ａに偏芯カム等を接触させて、所定の位置に移動、固定する手段を用いることができる。具体的には、回転可能な導電性コロ３９は転写紙搬送ガイド板３０との相対位置関係の高さを変化できる構造とし、転写紙の種類に応じてその高さを変化することによって達成される。
【００２９】
また、導電コロ３９の転写紙搬送方向下流側には接地された金属性の除電針である除電部材２９を配置している。効率的に転写紙表面の静電気を除電するために、先端がのこぎり状の尖った構造にしてあるが、除電部材２９上に転写紙が搬送されてきた時には、十分転写紙表面の静電気は減衰している。
このため、急激な転写紙の電位変動によるトナー散り等の転写紙搬送ガイド板３０上での異常画像を防止することが可能となり、また、転写紙表面の静電気も十分に除電されるため、その後の搬送工程等での転写紙の帯電による搬送性の乱れ等の不具合も解消される。
【図面の簡単な説明】
【００３０】
【図１】本発明による転写装置を搭載し得る画像形成装置であるカラー複写機を示す概略図である。
【図２】本発明による転写装置の第１の実施の形態を示す概略断面図である。
【図３】本発明による転写装置の転写紙搬送ガイド板近傍を上から見た平面図である。
【図４】本発明による転写装置の転写紙搬送ガイド板を示す概略図である。
【図５】本発明による転写装置の第２の実施の形態を示す概略図である。
【図６】可変抵抗値を選択する流れを示すフローチャートである。
【図７】本発明による転写装置の転写紙搬送ガイド板の回転リブ表面に施した中抵抗の樹脂被覆を示す概略図である。
【図８】回転リブの転写紙搬送ガイド板からの突出量を変更可能な構成を示す概略図である。
【図９】本発明による転写装置の第３の実施の形態を示す概略断面図である。
【図１０】本発明による転写装置の転写紙搬送ガイド板近傍を上から見た平面図である。
【図１１】図９の本発明による転写紙搬送ガイド板周辺のみを示す概略断面図である。
【図１２】抵抗を介して接地している導電コロを備える本発明による転写紙搬送ガイド板周辺のみを示す概略断面図である。
【図１３】転写紙搬送ガイド板における導電コロの上下移動可能な構成を示す概略図である。
【図１４】従来の転写装置の例を示す概略図である。
【図１５】図１４の転写装置を上から見た平面図である。
【符号の説明】
【００３１】
１０  画像形成装置、２１  像担持体（感光体）、２２  転写ベルト、２８  転写出口ガイド部材、２９  除電部材（除電針）、３０  転写紙搬送ガイド板、３２  搬送リブ、３３  回転リブ、３４  可変抵抗体、３５  被覆回転リブ、３６  支軸、３７  検知手段（センサ）、３８  支軸移動スペース、３９  導電コロ、３９ａ  導電コロ支軸
【図１】
2009237522.tif 000003
【図２】
2009237522.tif 000004
【図３】
2009237522.tif 000005
【図４】
2009237522.tif 000006
【図５】
2009237522.tif 000007
【図６】
2009237522.tif 000008
【図７】
2009237522.tif 000009
【図８】
2009237522.tif 000010
【図９】
2009237522.tif 000011
【図１０】
2009237522.tif 000012
【図１１】
2009237522.tif 000013
【図１２】
2009237522.tif 000014
【図１３】
2009237522.tif 000015
【図１４】
2009237522.tif 000016
【図１５】
2009237522.tif 000017